(57)【要約】【課題】ケーブル接続の妥当性を、配線作業時に簡便にタイムリーにオンデマンドで配線作業者に通知できることを可能とする。【解決手段】スイッチに内蔵されたフラッシ・メモリに、接続が期待されるポート毎のケーブルＩＤを記憶させ、ケーブルが接続されたときに、スイッチがケーブルＩＤをケーブル・コネクタのプラグ部分のＥＥＰＲＯＭから読み出し、スイッチで接続が期待されるポート毎のケーブルＩＤと比較することで、ケーブル接続の妥当性をＬＥＤで通知する。【選択図】図１
2013125365.tif 000002
【特許請求の範囲】
【請求項１】
複数のケーブル接続が求められるシステムにおいて、情報処理装置に接続されたケーブルのコネクタ・プラグのＥＥＰＲＯＭ（１０３）から実際に取り付けられたケーブルのＩＤ（１０４）を読み出す工程と、情報処理装置側で接続が期待されるケーブルのＩＤ（１０６）をフラッシュ・メモリ（１０５）から読み出す工程と、読み出された取り付けられたケーブルのＩＤ（１０４）と、情報処理装置側で接続が期待されるケーブルのＩＤ（１０６）との比較結果を、ケーブルの接続作業と同じタイミングで、作業者に通知する工程を有することを特徴とする、ケーブル接続検証方法。
【請求項２】
請求項１の情報処理装置側で接続が期待されるケーブルＩＤのテーブル（２０）を作成するにあたり、ケーブルのコネクタ・プラグのＥＥＰＲＯＭ（１０３）からケーブル長を読み出す機能と、読み出されたケーブル長をキーに、ケーブル両端の接続先を記録したデータベースから、割り当てられていないケーブル両端の接続先と行番号をクエリする機能を有することを特徴とする、ケーブル接続先選択プログラム。
【請求項３】
請求項１の情報処理装置側で接続が期待されるケーブルＩＤのテーブル（２０）を作成するにあたり、ケーブルのコネクタ・プラグのＥＥＰＲＯＭ（１０３）からケーブルＩＤを読み出す機能と、読み出されたケーブルＩＤを、ケーブル両端の接続先を記録したデータベースにおける、請求項２でクエリしたケーブル両端の接続先の行番号の行に書き込み、割り当てを完了させる機能を有することを特徴とする、ケーブル接続先割り当てプログラム。
【請求項４】
請求項２でクエリした、割り当てられていないケーブル両端の接続先をディスプレイに表示させる機能と、割り当てられていないケーブル両端の接続先をラベルとして印刷する機能を有することを特徴とする、ケーブルラベル印刷プログラム。
【発明の詳細な説明】
【技術分野】
【０００１】
本発明は、ケーブル接続の妥当性確認が容易なケーブル接続検証方法に関するものである。
【背景技術】
【０００２】
ハイ・パフォーマンス・コンピューティングの分野では主に、計算機を専用の高速ネットワークで接続し、分散メモリ型の並列計算システムを構築することが一般的である。このとき、規模に応じて数百本〜数千本にも及ぶケーブル接続が求められ、多くの場合、構築作業や保守作業にて誤配線や接続漏れが発生する。
【０００３】
誤配線や接続漏れを防止するために、各ケーブルの両端に接続先スイッチのポート番号を記したラベルを貼り付け、配線作業時にそのラベル内容とケーブルの接続先スイッチのポート番号とを比較し、目視で接続の妥当性を確認している。しかし、その作業効率は低く、また確実にケーブルがスイッチに奥まで確実に挿入されているかまでは本目視では確認することは出来ない。
【０００４】
この為、最終的に本計算機システムにＯＳやドライバをインストール後、論理的な接続情報をダンプし、それを適切に情報処理し、接続設計図と比較することで、ケーブル接続の妥当性を見出している。この結果、実際の配線作業と同期して配線の妥当性確認を行うことが出来ず、配線作業者による不適切な作業によって不良配線が発生した事実をタイムリーにフィードバック出来なかった為に、配線作業者は作業方法のなんら改善を行うことなく作業を続行した為に配線不良が多発してしまうケースが散在した。
【０００５】
実際、（特許文献１）にあるように、ケーブル両端の装置に存在するＩＤ（ケーブル自端装置側ＩＤとケーブル他端装置側ＩＤ）を、ケーブルを経由して比較し、ダンプすることで得られる論理的な接続情報と接続設計図との比較結果を待たずに、ケーブル配線の妥当性を検証する方法がある。しかしながら、この方法では、ケーブル接続の妥当性を検証するには、ケーブル自端装置の電源状態だけでなく、ケーブル他端装置の電源状態に依存する為、ケーブル他端装置の構築作業の進捗に左右されてしまい、タイムリーにケーブル接続の妥当性を検証することが出来ない。
【先行技術文献】
【特許文献】
【０００６】
【特許文献１】特開平６−３００８０８号公報
【発明の概要】
【発明が解決しようとする課題】
【０００７】
ケーブル接続の妥当性を、配線作業時に簡便にタイムリーにオンデマンドで配線作業者に通知することにある。
【課題を解決するための手段】
【０００８】
本発明は、スイッチに内蔵されたフラッシュ・メモリに、接続が期待されるポート毎のケーブルＩＤを記憶させ、ケーブルが接続されたときに、スイッチがケーブルＩＤをケーブル・コネクタのプラグ部分のＥＥＰＲＯＭから読み出し、スイッチで接続が期待されるポート毎のケーブルＩＤと比較することで、ケーブル接続の妥当性を検証することを最も主要な特徴とする。
【発明の効果】
【０００９】
本発明により、ケーブル他端装置側の配線作業や設置作業が完了していないような構築作業途中でも、ケーブル接続の妥当性をタイムリーに検証することが出来る。あわせて、作業者は環境構築に用いるケーブルの接続先を記したラベル貼り付け作業を、ケーブル長を意識することなく行うことが出来る。
【図面の簡単な説明】
【００１０】
【図１】ケーブルＩＤの比較機能のブロック図である（実施例１）。
【図２】接続が期待されるポート毎のケーブルＩＤのデータ形式を示した説明図である（実施例１）。
【図３】本発明で検証するケーブル接続の位置を示した説明図である（実施例１）。
【図４】実際にケーブルの配線作業を行う場合の作業視点でのスイッチ＃１における作業フローチャートを示した説明図である（実施例１）。
【図５】スイッチで接続が期待されるケーブルのＩＤを作成するためのシステム例を示した説明図である（実施例１）。
【図６】スイッチで接続が期待されるケーブルのＩＤを作成するためのシステムのデータの流れを示した説明図である（実施例１）。
【図７】スイッチで接続が期待されるケーブルのＩＤを作成するためのシステムの動作フローを示した説明図である（実施例１）。
【発明を実施するための形態】
【００１１】
以下、本発明を図の具体例を用いて詳細に説明する。
【実施例】
【００１２】
図１は、本発明の１実施例に関するブロック図である。図２は、フラッシュ・メモリ（１０５）に記憶させる、接続が期待されるポート毎のケーブルＩＤのデータ形式である。
【００１３】
本実施例のスイッチ（１０）は、スイッチ制御用マイコンのポート選択機能（１０９）が１〜８番のポート番号を順番に指定し、指定されたポートに接続されたケーブルのコネクタ・プラグ（１０２）のＥＥＰＲＯＭ（１０３）から、実際に取り付けられたケーブルのＩＤ（１０４）を読み出す機能を有する。
【００１４】
また、スイッチ制御用マイコンのポート選択機能（１０９）が１〜８番のポート番号を順番に指定し、指定されたポートにおいて、接続が期待されるケーブルのＩＤ（１０６）をフラッシュ・メモリ（１０５）から読み出す為のフラッシュ・メモリ読み出し機能（１０８）を有する。
【００１５】
ここで、実際に取り付けられたケーブルのＩＤ（１０４）と、接続が期待されるケーブルのＩＤ（１０６）を比較器（１０７）で比較し、誤配線を示す１ｂｉｔの信号（１１０）として比較結果を出力する。誤配線を示す１ｂｉｔの信号（１１０）は、スイッチ制御用マイコンのポート選択機能（１０９）が示すポート番号（８ｂｉｔ信号）と８個のＡＮＤゲート（１１１）による論理積で、ポート毎の誤配線情報を、ポート毎に備えられた誤配線通知用ＬＥＤ（１０１）を点滅させることによって通知することが可能となる。
【００１６】
図３は、図１で説明したスイッチを用いて、高速ネットワーク環境を構築した例である。本発明では、主としてスイッチ−スイッチ間のケーブル接続（３０１）の妥当性を検証する。図４は、本発明の方法を用いて、実際にスイッチ＃１でケーブルの配線作業を行う場合の作業視点での作業フローチャートである。
【００１７】
作業者は、接続設計図に従い、ケーブルをスイッチ＃１のポート＃１（３０２）に接続する（４０１）。ここで、スイッチ＃１のポート＃１の他端側であるスイッチ＃３（３０３）の状態に依存することなく、スイッチ＃１のポート＃１のケーブル接続の妥当性が検証され、もし、接続されたケーブルがスイッチ＃１のポート＃１で期待するケーブルではなかった場合、図１で説明した比較論理が作動し、誤配線通知用ＬＥＤ（１０１）が点滅する。作業者は、この誤配線通知用ＬＥＤ（１０１）が点滅している場合（４０２）、誤配線であることをその場で認識することができ、スイッチ＃１のポート＃１の配線をやり直すことを行う（４０３）。その後、もう一度、誤配線通知用ＬＥＤ（１０１）を見て、スイッチ＃１のポート＃１の配線の妥当性を確認する。これを最大ポート番号分、繰り返し行う（４０４）。
【００１８】
図５は、スイッチで接続が期待されるケーブルＩＤのテーブル（２０）を作成するためのシステムの例である。図６は、スイッチで接続が期待されるケーブルＩＤのテーブル（２０）を作成するためのシステムにおける各データの受け渡しを説明するものである。図７は、スイッチで接続が期待されるケーブルＩＤのテーブル（２０）を作成するためのシステムの動作フローである。
【００１９】
作業者は、高速ネットワーク環境の構築に用いるケーブル（６０１）をケーブル・コネクタＥＥＰＲＯＭ読み取り装置（６０２）に挿入した後、ＤＢ操作用端末（６０３）に接続されたキーボード（６０４）でボタン操作を行う（７０１）ことで、ケーブル接続先選択プログラム（６０５）は、ケーブル・コネクタＥＥＰＲＯＭ読み取り装置（６０２）内のケーブル長読み取り論理（６０６）、ケーブルＩＤ読み取り論理（６０７）に、それぞれ読み出し命令を発行する（７０２）（７０３）。
【００２０】
ケーブル長読み取り論理（６０６）及び、ケーブルＩＤ読み取り論理（６０７）は、それぞれ命令を受けた後、ケーブル（６０１）のＥＥＰＲＯＭからケーブル長ケーブルＩＤを読み取り、ケーブル長をケーブル接続先選択プログラム（６０５）に、ケーブルＩＤをケーブル接続先割り当てプログラム（６０９）にそれぞれ通知する（７０４）（７０５）。
【００２１】
ケーブル接続先選択プログラム（６０５）は、ケーブル長をキーに、ケーブル接続管理ＤＢ（６０８）から、割り当てられていないケーブル両端の接続先と行番号をクエリし（７０６）、行番号をケーブル接続先割り当てプログラム（６０９）に通知し（７０７）、割り当てられていないケーブル両端の接続先をケーブルラベル印刷プログラム（６１０）に通知する（７０８）。
【００２２】
ケーブル接続先割り当てプログラム（６０９）は、ケーブル接続管理ＤＢ（６０８）における、ケーブル接続先選択プログラム（６０５）から取得した行番号に対して、ケーブルＩＤを書き込み、割り当てを完了させる（７０９）。
【００２３】
ケーブルラベル印刷プログラム（６１０）は、ケーブル接続先選択プログラム（６０５）から取得したケーブル両端の接続先を、ディスプレイ（６１１）に表示させ（７１１）、ラベル用プリンタ（６１２）でケーブル・コネクタのそれぞれ端の接続先が記されたラベルを印刷する（７１０）。同時に作業者は、ケーブルのそれぞれの端に本ラベルを貼り付け（７１２）、高速ネットワーク環境の構築に用いるケーブル（６０１）の前作業を完了させる。これを接続ケーブル数分、繰り返し行う（７１３）。
【符号の説明】
【００２４】
１０…スイッチ、１０１…誤配線通知用ＬＥＤ、１０２…ケーブルのコネクタ・プラグ、１０３…ＥＥＰＲＯＭ、１０４…実際に取り付けられたケーブルのＩＤ、１０５…フラッシュ・メモリ、１０６…接続が期待されるケーブルのＩＤ、１０７…比較器、１０８…フラッシュ・メモリ読み出し機能、１０９…ポート選択機能、１１０…誤配線を示す１ｂｉｔの信号、１１１…ＡＮＤゲート、２０…接続が期待されるケーブルＩＤのテーブル、３０１…スイッチ−スイッチ間のケーブル接続、３０２…スイッチ＃１、３０３…スイッチ＃３、４０１…ケーブル接続作業、４０２…ＬＥＤの点滅確認作業、４０３…配線やり直し作業、４０４…ポート数確認作業、６０１…コネクタ・プラグ、６０２…ケーブル・コネクタＥＥＰＲＯＭ読取装置、６０３…ＤＢ操作用端末、６０４…キーボード、６０５…ケーブル接続先選択プログラム、６０６…ケーブル長読み取り論理、６０７…ケーブルＩＤ読み取り論理、６０８…ケーブル接続管理ＤＢ、６０９…ケーブル接続先割り当てプログラム、６１０…ケーブルラベル印刷プログラム、６１１…ディスプレイ、６１２…ラベル用プリンタ、７０１…ボタン操作、７０２…読み出し命令発行、７０３…読み出し命令発行、７０４…ケーブルＩＤの通知、７０５…ケーブル長の通知、７０６…クエリ動作、７０７…行番号の通知、７０８…接続先の通知、７０９…割り当て完了、７１０…ラベルの印刷、７１１…ディスプレイへの表示、７１２…ラベルの貼り付け作業、７１３…接続ケーブル数確認作業。
【図１】
2013125365.tif 000003
【図２】
2013125365.tif 000004
【図３】
2013125365.tif 000005
【図４】
2013125365.tif 000006
【図５】
2013125365.tif 000007
【図６】
2013125365.tif 000008
【図７】
2013125365.tif 000009